(57)【要約】【課題】この発明は、導光板とフレーム間の隙間をなくすとともに、光の干渉縞の発生等を無くし、しかも小型、軽量の面光源装置を提供することを目的とする。【解決手段】この発明の面光源装置７は、面状の導光板２０と、少なくともこの導光板２０を光入射側側面以外の側面に連接して形成された反射機能有する保持するためのフレーム２と、を備え、フレーム２と導光板２０とを一体化する。そして、フレーム２の凹所２２内に挿入された白色ＬＥＤ３からの光を導光板２０の光入射面から入射させ面状導光板２０の光出射面より出射させる。【選択図】  図１
2004252278.tif 000002
【特許請求の範囲】
【請求項１】
面状導光板と、少なくともこの面状導光板の光入射側側面以外の側面に連接して形成された反射機能有するフレームと、を備え、光源からの光を光入射面から入射させ面状導光板の光出射面より出射させることを特徴とする面光源装置。
【請求項２】
前記フレームの導光板の光入射側端面に沿った所定位置に点光源を収容する凹所が形成されていることを特徴とする請求項１に記載の面光源装置。
【請求項３】
請求項１又は２に記載の面光源装置と、この面光源装置の光出射面側に取り付けられる透過型液晶パネルユニットと、を備えたことを特徴とする表示装置。
【請求項４】
請求項１又は２に記載の面光源装置と、この面光源装置の光出射面側に取り付けられる反射型液晶パネルユニットと、を備えたことを特徴とする表示装置。
【発明の詳細な説明】
【０００１】
【発明の属する技術分野】
この発明は、面光源装置及びこれを用いた表示装置に関し、例えば、携帯電話機等に設けられる液晶表示装置のバックライト又はフロントライトとして用いて好適な照明装置に関するものである。
【０００２】
【従来の技術】
近年、電子機器の軽量化、小型化並びに低消費電力化を図る技術は著しく発展してきている。携帯電話機や携帯型情報端末装置（ＰＤＡ）においても、表示装置として液晶表示装置が用い、軽量化、小型化、低消費電力化が図られてきている。
【０００３】
液晶表示装置としては、透過型と反射型が有り、透過型の液晶表示装置には、液晶表示パネルを裏面側から照明する照明装置、いわゆるバックライトが設けられ、反射型の液晶表示装置には、液晶パネルを表面側から照明する照明装置、いわゆるフロントライトが設けられている。
【０００４】
これらの照明装置は、線状光源或いは点光源と、この線状光源或いは点光源の光を一端面より入射され、表裏のいずれか一面より平面的に分散させて出射させる面状の導光板と、を備えた面光源装置が知られている。このような面光源装置は、ほぼ均一な板厚により導光板を形成した方式のものと、線状光源より遠ざかるに従って導光板の板厚を徐々に薄く形成した形式のものとがある。
【０００５】
従来のこの種の導光板を用いた面光源装置としては、例えば、図１１に示すような液晶表示装置のバックライトに適用されたものがある。同図に示すように、この液晶表示装置は、透過型の液晶パネルユニット１２０、液晶パネルユニット１２０の下面に配置された導光板１０１、及び導光板１０１の一側面に配置された複数の点光源３と、を備える。
【０００６】
上記面光源装置は、導光板１０１の側方に複数の点光源３を配置し、反射シート１０２、導光板１０１、光拡散シート１０３、プリズムシート１０４及び１０５を順次積層して形成される。
【０００７】
点光源３は、例えば、白色発光ダイオード（ＬＥＤ）で構成され、このＬＥＤ３の周囲をケース３１で囲って形成され、ケース３１の開口側より導光板１０１の端面（以下、入射面という。）に照明光を入射する。
【０００８】
反射シート１０２は、金属箔等からなるシート状の正反射部材、又は白色ＰＥＴフィルム等からなるシート状の乱反射部材により形成され、導光板１０１より漏れ出す照明光を反射して導光板１０１に入射し、これにより照明光の利用効率を向上する。
【０００９】
導光板１０１は、透明部材からなる例えば、アクリル（ＰＭＭＡ樹脂）を射出成形して断面楔型形状に形成された板状の部材であり、反射シート１０２側の平面（以下、裏面という。）の全面がマット面処理により一様に粗面に形成される。これにより導光板１０１は、裏面に光拡散面を形成し、裏面と出射面との間を繰り返し反射して光を伝搬しながら、この光拡散面により照明光を散乱する。
【００１０】
この伝播の際に、照明光は、裏面で反射する毎に出射面に対する入射角が低下し、出射面に対して臨界角以下の成分が出射面より出射される。この出射面より出射される照明光は、裏面に形成された粗面により散乱され、また、反射シート１０２に乱反射部材を適用した場合は、この反射シート１０２により乱反射して伝播すること等により、散乱光により出射される。しかしながら、この照明光は、出射面に対して伝播方向に傾いて形成された裏面を反射して伝播し、臨界角以下の成分が射出されることにより、主たる出射方向が楔型形状の先端方向に傾いて形成される。すなわち、導光板１０１からの出射光が指向性を有するようになり、これにより面光源装置は、指向出射性を有するようになる。
【００１１】
プリズムシート１０４及び１０５は、この導光板１０１の指向性を補正するために配置される。すなわち、プリズムシート１０４及び１０５は、ポリカーボネート等の透光性のシート材で形成され、導光板１０１と対向する側とは逆側の面にプリズム面が形成される。このプリズム面は、一方向にほぼ平行に延長する断面三角形形状の突起が繰り返されて形成され、導光板２側のプリズムシート５は、この突起が入射面とほぼ平行に延長するように、プリズムシート１０５は、この突起が入射面とほぼ直交する方向に延長するように配置される。
【００１２】
これにより、プリズムシート１０４及び１０５は、この三角形形状の突起の斜面で、出射光の主たる出射方向を出射面の正面方向に補正する。これによりこの面光源装置では、出射光を正面方向に効率良く出射できるようになされている。
【００１３】
そして、面光源装置より出射された光が、面光源装置の上側に配置されている液晶パネルユニットを照射する。この液晶パネルユニットにより、光が変調され、液晶パネルユニットを透過した光により画像等が表示される。
【００１４】
上記した面光源装置を改良し、入射面より入射した光源からの光の利用効率を更に向上させ、しかも高品位の照明光を出射することができる面光源装置を提案されている（例えば、特許文献１参照）。この種の面光源装置を図１２に示す。図示はしないが、導光板１０１の裏面に、１対の斜面を有する凸部を繰り返し形成する。また、導光板１０１の出射面の全面がマット処理により一様に粗面に形成され、この出射面に光拡散面を形成する。導光板１０１の出射面に配置されるプリズムシート１１０の導光板１０１側に同種の凸部を繰り返し形成する。導光板１０１から出射された拡散光をプリズムシート１１０により指向性を補正し、出射することにより、照明光を効率良く出射して照明光の利用効率を向上させるものである。
【００１５】
上記した図１２に示す構成の面光源装置を用いた液晶表示装置の具体例を図１３及び図１４に示す。図１３は分解斜視図、図１４は要部断面図である。
【００１６】
図１３に示すように、白色の樹脂で形成された矩形の枠状フレーム６は、外枠６ａの内周面に沿って内枠６ｂが形成されている。この内枠６ｂの上には、レンズシート７ａ、遮光両面接着テープ７ｂ、液晶パネル５が重ねられた状態で固定されている。液晶パネル５は、偏光板５ａ、液晶層を間に設けたガラス板５ｂ及び偏光板５ｃで構成され、各偏光板５ａ、５ｃがガラス板５ｂの光入射側と出射側にそれぞれ貼り付けられた状態で、遮光両面接着テープ７ｂに接着されている。そして、内枠６ｂの内側面に導光板７１が嵌合して固定されている。
【００１７】
又、内枠６ｂの下面には、両面接着テープ７ｆを介して反射シート７ｇが接着されて固定されている。更に、図に示すように、光源として、例えば、３つのＬＥＤ３…、サージ防止ダイオード３ｓをフレキシブルプリントケーブル（ＦＰＣ）７ｈの所定の箇所に半田等を用いて取り付けられており、このＦＰＣ７ｈを内枠６ｂの上面に取り付ける。これらＬＥＤ３…、導光板７１、レンズシート７ａ、フレーム６等によりバックライトユニット７が構成される。
【００１８】
この液晶表示装置１では、導光板７１をフレーム６に固定する方法として、図１４に示すように、導光板７１の側面に凸部７１ｅを形成し、この凸部７１ｅをフレーム６の内枠６ｂの内側面に形成した凹部６ｃに嵌め込む方法が用いられている。尚、図１４は、図１５のＸ−Ｘ線で断面した一部の拡大断面図である。
【００１９】
また、図には示さないが、導光板をフレームに固定する方法として、導光板の側面に突片を形成し、この突片に貫通孔を設け、フレームに形成したピンをこの貫通孔に挿通して固定する方法がある（例えば、特許文献２参照。）。
【００２０】
【特許文献１】
特開平１０−２６８１３８号公報
【特許文献２】
特開平９−１４７６１８号公報（図５）
【００２１】
【発明が解決しようとする課題】
しかし、従来の液晶表示装置１では、図１５に示すように、３つのＬＥＤ３…を点灯したときに、導光板７１の左右の各側面に形成されている凸部７１ｅの上下の各端部から表示領域（縦の長さＡと横の長さＢで区画される領域）８内に延びる光の干渉縞（輝線９ａと暗部９ｂとからなる干渉縞）９が現れる。この干渉縞９は、液晶パネル５によって表示される画像等の視認性が悪くするものである。なお、図１５では、この干渉縞９を誇張して描いている。
【００２２】
また、特許文献２に記載されている面光源装置においても、特許文献１に記載したレンズシート１枚の構成のものでは、同じく干渉縞が現れる懸念がある。
【００２３】
このように、表示領域内に干渉縞９が現れるのは、図１５に示すように、凸部７１ｅが矩形の表示領域８における縦方向の境界縁（長さＡ）８ａに対して、その一部の範囲内に配置されており、境界縁８ａの長さＡよりも短い長さＨ１で形成されているからであり、さらに、干渉縞９が凸部７１ｅの上下の各端部から表示領域に向かって斜め下方に延びるように形成されるからである。
【００２４】
ここで、表示領域８内に干渉縞９が現れないようにするために、フレーム６及び導光板７１の横幅Ｆ、Ｄを広げて、干渉縞９が元の大きさの表示領域８内に達しないように構成することが考えられる。しかし、このように構成すると、液晶表示装置１の横幅Ｆが広がり、嵩が大きく重量が重くなるという問題が生じる。このため、小型、軽量化が望まれる携帯電話機等にこのような液晶表示装置は好ましくない。
【００２５】
また、導光板７１とフレーム６という２つの部品を組み立てる必要があるため、上記したように、嵌め合いにより、両者を組み立てるように構成しても組み立ての際の作業性が悪いなどの難点がある。
【００２６】
導光板７１の側面に凸部７１ｅを形成し、この凸部７１ｅをフレーム６の内枠６ｂの内側面に形成した凹部６ｃに嵌め込むように構成してもこのはめ込み部分においては、僅かではあるが隙間が生じるのはやむ得ない。このため、斯かる隙間から光が逃げ、その分輝度が低下するという難点もあった。
【００２７】
そこで、この発明においては、導光板とフレーム間の隙間をなくすとともに、光の干渉縞の発生等を無くし、しかも小型、軽量の面光源装置を提供することを目的とする。
【００２８】
【課題を解決するための手段】
この発明の面光源装置は、面状導光板と、少なくともこの面状導光板の光入射側側面以外の側面に連接して形成された反射機能有するフレームと、を備え、光源からの光を光入射面から入射させ面状導光板の光出射面より出射させることを特徴とする。
【００２９】
また、前記フレームの導光板の光入射側端面に沿った所定位置に点光源を収容する凹所を形成すると良い。
【００３０】
この発明の表示装置は、上記のいずれかに記載の面光源装置と、この面光源装置の光出射面側に取り付けられる透過型液晶パネルユニットと、を備えたことを特徴とする。
【００３１】
又、この発明の表示装置は、上記のいずれかに記載の面光源装置と、この面光源装置の光出射面側に取り付けられる反射型液晶パネルユニットと、を備えたことを特徴とする。
【００３２】
上記の構成によれば、フレームと導光板とが一体に形成されているので、フレームと導光板部分にがたつきが無く、光が逃げずに輝度を向上させることができる。又、導光板とフレームを固定するための凸部などを設けていないので、輝線の発生も無く視認性が悪くなる虞もない。さらに、フレームと導光板が一体に形成されているので、組み立ても容易である。
【００３３】
【発明の実施の形態】
以下、この発明の第１の実施形態を図１乃至図６に従い説明する。尚、従来例と同一部分には同一符号を付し、説明の重複を避けるために、ここでは、その説明を割愛する。
【００３４】
図１は、この発明の第１の実施形態の面光源装置を適用した液晶表示装置を示す分解斜視図、図２は、この発明の第１の実施形態の面光源装置を適用した液晶表示装置を示す斜視図、図３は、この発明の第１の実施形態の面光源装置の導光板とフレーム部分を示す斜視図、図４は、図３の点線Ａで囲んだ部分の斜視図、図５は、点線Ｂで囲んだ部分の斜視図、図６は要部断面斜視図である。
【００３５】
この液晶表示装置は透過型液晶表示装置を示す実施形態であり、面光源装置７は指向性バックライトを構成し、サイドライト方式を採用している。この液晶表示装置１は、例えば、携帯電話機に使用され、その基本的な構成、光源としての白色ＬＥＤ（発光ダイオード３）、液晶パネル５は、図１３に示すものと同等であるので、その説明を省略する。
【００３６】
図１に示すこの実施形態の液晶表示装置と、図１３に示す従来の液晶表示装置が相違するところは、面光源装置７の構成である。この実施形態における面光源装置７は、面状の導光板２０とフレーム２とを一体化したところにある。即ち、導光板２０の両側面並びに入光端面と対向する面に連接してフレーム２が形成されている。樹脂で一体成型すると共に、本来導光板寸法のところに、液晶パネル５側から見てコの字状の区画層２１を設けている。
【００３７】
導光板２０は、例えば、アクリル（ＰＭＭＡ）、ポリカーボネート（ＰＣ）のような透光性樹脂により形成され、フレーム２は白色樹脂により形成される。導光板２０とフレーム２とは、２色成型又は密着成型により一体に形成される。
【００３８】
導光板２０と一体化されたフレーム２には、導光板２０を構成する部分の光入射側端面に位置する箇所に、ＬＥＤ３…が挿入される凹所２２…が形成されている。この実施形態においては、この凹所２２は、ＬＥＤ３の寸法よりも若干余裕を持たせて形成されており、後述するように、ＦＰＣ７ｈの取り付けられたＬＥＤ３の挿入を容易にしている。
【００３９】
図５の拡大斜視図に示すように、ＬＥＤが挿入される凹所２２の先端側（図２ｆ）が導光板２０の光入射側の端面になる。
【００４０】
また、図４及び図５の拡大斜視図に示すように、導光板２０と一体化されたフレーム２には、空気層２１の外周側と外枠２ａとの間に、レンズシート７ａの位置決め用段部２ｄが設けられている。
【００４１】
さらに、フレーム２には、サージ防止ダイオード３ｓを収容する凹部２３並びにＦＰＣ７ｈの外部への引き出しのための切り欠き部２４が形成されている。
【００４２】
導光板２０には、図示はしないが出射面より出射する光を前記出射面の法線方向より所定の方向に指向させて出射させるために微小なシボ群からなるパターン面が設けられる。このパターン面に形成されるシボ（微小な凹凸）は、出射面側或いは反射面若しくは両面に設けられるが、この実施形態では、出射面側にシボが形成される。シボ形状は、略球面状突起で、その表面は反射した光が散乱せず、規則正しく所定の方向を向くように平滑曲面に形成されている。指向性バックライト方式の場合、導光板２０に設けるパターンは光があまり散乱しないパターンにし、極く僅かに光の方向を変えながら反射を繰り返し導光するように設計している。
【００４３】
また、図示はしないが、導光板２０の反射面には、入射側端面から反射側端面に向かう縦軸に対して平行する方向にプリズムが形成されている。
【００４４】
導光板２０に連接して一体化されたフレーム２の上面には、図１３と同様のレンズシート７ａ、遮光両面接着テープ７ｂ、液晶表示パネル５が重ねられた状態で固定されている。液晶パネル５は、偏光板５ａ、液晶層が間に形成されたガラス板５ｂ及び偏光板５ｃで構成され、ガラス板５ｂに各偏光板５ａ、５ｃが貼り付けられた状態で、遮光両面接着テープ７ｂに接着されている。
【００４５】
図１、図２及び図６に示すように、フレーム２の内枠２ｂの上面にレンズシート７ａ、液晶表示パネル５を固定すると、フレーム２と導光板２０は一体に形成されているので、フレーム２に上記部材を固定するだけで、液晶パネル５の所定の位置に導光板２０が配置される。
【００４６】
また、この実施形態においては、導光板２０から漏れる光は白色樹脂で形成されたフレーム２により導光板２０内に戻すようにしている。
【００４７】
フレーム２の下面には、図１３に示すものと同様に、両面接着テープ７ｆを介して反射シート７ｇが接着固定されている。さらに、図１３に示すものと同様に、光源として例えば、３つのＬＥＤ３…、サージ防止ダイオード３ｓをフレキシブルプリントケーブル（ＦＰＣ）７ｈの所定の箇所に半田等を用いて取り付けられている。そして、ＬＥＤ３…、サージ防止ダイオードを３ｓをフレーム２の凹所２２、２３に嵌め込み、ＦＰＣ７ｈを内枠２ｂの上面に取り付ける。これらＬＥＤ３…、導光板２０、レンズシート７ａ、フレーム２等により、指向性バックライト７が構成される。
【００４８】
上記したように、この指向性バックライト７は、導光板２０に連接してフレーム２を形成し両者が一体に形成されているので、フレーム２と導光板２０部分にがたつきが無く、光が逃げずに輝度を向上させることができる。又、従来のように、導光板とフレームを固定するための凸部などを設けていないので、輝線の発生も無く視認性が悪くなる虞もない。さらに、フレーム２と導光板２０が一体に形成されているので、組み立ても容易である。又、導光板自体に射出成型のためのゲート口やエジェクタピン跡が無くすことができ、更に視認性をよくすることができる。
【００４９】
図７乃至図９に従いこの発明の第２の実施形態につき説明する。図７は、この発明の第２の実施形態の面光源装置を適用した液晶表示装置を示し、観察方向とは逆の下面側から見た分解斜視図、図８は要部断面斜視図、図９は導光板部分を示す概略側面図である。
【００５０】
この液晶表示装置は反射型液晶表示装置を示す実施形態であり、このため、この第２の実施形態における面光源装置７はフロントライトを構成し、サイドライト方式を採用している。
【００５１】
この液晶表示装置は、例えば、携帯電話機に使用され、その基本的な構成、光源としての白色ＬＥＤ３…、反射型液晶パネルユニット５０で構成される。反射型液晶パネルユニット５０は、図には詳細に示さないがガラス基板上に反射板、液晶層、カラーフィルタ、ガラス板及び偏光板をこの順序で積層したものである。
【００５２】
尚、図７において、矢印で上と示した方向が観察側、下が下面側を示している。図８においても同様である。
【００５３】
この第２の実施形態における面光源装置７は、第１の実施形態と同じく導光板２０に連接してフレーム２を形成し、両者を一体化している。即ち、導光板２０とフレーム２を２色成型又は密着成型して、一体化されている。
【００５４】
導光板２０に連接形成され、一体化されたフレーム２には、導光板２０を構成する部分の光入射側端面に位置する箇所にＬＥＤ３…が挿入される凹所２２…が形成されている。この実施形態においては、この凹所２２は、ＬＥＤ３の寸法よりも若干余裕を持たせて形成されており、後述するように、ＦＰＣ７ｈに取り付けられたＬＥＤ３…の挿入を容易にしている。
【００５５】
さらに、フレーム２には、サージ防止ダイオード３ｓを収容する凹部２３並びにＦＰＣ７ｈの外部への引き出しのための切り欠き部２ｃが形成されている。
【００５６】
導光板２０の部分には、その上面には、図９に示すように、線状プリズム２５が互いに平行して多数形成されている。
【００５７】
図９に示すように、各線状プリズム２５，２５…の長さ方向の断面は山状に形成され、各々山を形成する２つの斜面２６ａ及び２６ｂの内、ＬＥＤ３…に対峙する斜面２６ｂは、ＬＥＤ３…から入射される光を反射するための反射面を形成する。即ち、ＬＥＤ３…から入射される光は、導光板２０内の光入射面から入射され、同図に一点鎖線の矢印２７で示すように、各プリズム２５，２５８…が形成する各反射面２６ｂ，２６ｂ…で反射された後、導光板２０の下面２０ｃから出射される。この出射光は、液晶パネルユニット５０に照射され、上述した液晶層などを透過した後、反射板によって上方に反射され、再度液晶層を透過する。そして、この液晶層を透過した光が、同図二点鎖線の矢印２８で示すように、導光板２０を透過して導光板２０の上面２０ｄから外方に出射される。
【００５８】
導光板２０と連接形成され、一体化されたフレーム２の下面の内枠２ｂには、遮光両面接着テープ７ｂ、反射型液晶表示パネルユニット５０が重ねられた状態で固定されている。図に示すように、反射型液晶表示パネル５０を固定すると、フレーム２と導光板２０は一体に形成されているので、フレーム２に上記部材を固定するだけで、反射型液晶パネルユニット５０の所定の位置に導光板２０が配置される。
【００５９】
フレーム２の下面には、図１に示すものと同様に、光源として例えば、３つのＬＥＤ３、サージ防止ダイオード３ｓをフレキシブルプリントケーブル（ＦＰＣ）７ｈの所定の箇所に半田等を用いて取り付けられており、所定の箇所に半田等を用いて取り付けられている。そして、ＬＥＤ３…、サージ防止ダイオードを３ｓをフレーム２の凹所２２、２３に嵌め込み、ＦＰＣ７ｈを内枠６ｂの下面に取り付ける。
【００６０】
上記したように、このバックライトユニット７は、導光板２０にフレーム２が連接形成され、一体に形成されているので、フレーム２と導光板２０部分にがたつきが無く、光が逃げずに輝度を向上させることができる。又、従来のように、導光板とフレームを固定するための凸部などを設けていないので、輝線の発生も無く視認性が悪くなる虞もない。さらに、フレームと導光板が一体に形成されているので、組み立ても容易である。又、導光板自体に射出成型のためのゲート口やエジェクタピン跡が無くすことができ、更に視認性をよくすることができる。
【００６１】
上記したフレーム２に形成するＬＥＤ３を挿入する凹所２２で、導光板２０とＬＥＤ３の位置決めを行うように構成すると、ＬＥＤ３を導光板２０の光入射端面の最適な位置に常に配置することができ、導光板２０に設けるパターンやプリズムとの関係と相まって視認性の向上が期待できる。尚、ＬＥＤの凹所への挿入並びにこの凹所で位置決めするためには、例えば、図１０に示すように、凹所２２にテーパー２２ｂを設け、このテーパー２２ｂによりＬＥＤ３を上から案内し、所定のＬＥＤの位置でＬＥＤが収まるように構成すればよい。又、凹所２２の上部には半田等の接続部を収容するために少し余裕を持たせた段部２２ｃを設けている。そして、ＬＥＤ３、３間をＦＰＣ７ｈに所定の間隔よりプラス誤差で取り付けらることで、ＦＰＣ７ｈの撓みによりＬＥＤ間の間隔の補正は行える。
【００６２】
【発明の効果】
以上、説明したように、この発明によれば、導光板にフレームが連接形成され、両者が一体に形成されているので、フレームと導光板部分にがたつきが無く、光が逃げずに輝度を向上させることができるとともに、輝線の発生も無く視認性が良好な装置を提供することができる。
【００６３】
さらに、フレームと導光板が一体に形成されているので、組み立ても容易である。
【図面の簡単な説明】
【図１】この発明の第１の実施形態の面光源装置を適用した液晶表示装置を示す分解斜視図である。
【図２】この発明の第１の実施形態の面光源装置を適用した液晶表示装置を示す斜視図である。
【図３】この発明の第１の実施形態の面光源装置の導光板とフレーム部分を示す斜視図である。
【図４】図３の点線Ａで囲んだ部分の拡大斜視図である。
【図５】図３の点線Ｂで囲んだ部分の拡大斜視図である。
【図６】この発明の第１の実施形態の面光源装置を適用した液晶表示装置の要部断面斜視図である。
【図７】この発明の第２の実施形態の面光源装置を適用した液晶表示装置を示し、観察方向とは逆の下面側から見た分解斜視図である。
【図８】この発明の第２の実施形態の面光源装置を適用した液晶表示装置の要部断面斜視図である。
【図９】この発明の第２の実施形態の導光板部分を示す概略側面図である。
【図１０】ＬＥＤを収容するフレーム部分の拡大断面図である。
【図１１】従来の面光源装置を用いた液晶表示装置の概略断面図である。
【図１２】従来の面光源装置を用いた液晶表示装置の概略断面図である。
【図１３】従来の面光源装置を用いた液晶表示装置の具体例を示す分解斜視図である。
【図１４】図１４に示す液晶表示装置の要部断面図である。
【図１５】従来の液晶表示装置を示す平面図である。
【符号の説明】
１  液晶表示装置
２  フレーム
２０  導光板
２１  区画層（空気層）
２１ａ  反射拡散シート
２２、２３  凹所
３  白色ＬＥＤ
５  液晶パネル
【図１】
2004252278.tif 000003
【図２】
2004252278.tif 000004
【図３】
2004252278.tif 000005
【図４】
2004252278.tif 000006
【図５】
2004252278.tif 000007
【図６】
2004252278.tif 000008
【図７】
2004252278.tif 000009
【図８】
2004252278.tif 000010
【図９】
2004252278.tif 000011
【図１０】
2004252278.tif 000012
【図１１】
2004252278.tif 000013
【図１２】
2004252278.tif 000014
【図１３】
2004252278.tif 000015
【図１４】
2004252278.tif 000016
【図１５】
2004252278.tif 000017